(57)【要約】【課題】時空情報空間でのコミュニケーションをとること。浮上すること。【解決手段】グラビトン・コントロール・システム。ブラック・ホール・タイム・マシン。【選択図】なし【特許請求の範囲】
【請求項１】
要約書、明細書によって示唆された、タイムトラベル用に適宜に組み合わされたシステム。
【請求項２】
要約書、明細書によって示唆された、浮上用に適宜に組み合わされたシステム。
【請求項３】
要約書、明細書によって示唆された、タイムトラベル用且つ浮上用に適宜に組み合わされたシステム。
【請求項４】
ブラック・ホール（ワーム・ホール）システム。
【発明の詳細な説明】
【技術分野】
【０００１】  人々は長き間に置いて、時空を飛び回ることを夢見てきた。車や飛行機などで、距離空間での旅行は簡単であっても、時間空間での旅行は簡単ではない。又、エネルギーを使わずに、物体を浮上させるのは容易とはいえない。
【背景技術】
【０００２】吉野は、タイム・マシンを作りたい。吉野は、ラビテーション・オブジェクトを作りたい。
【発明の開示】
【発明が解決しようとする課題】
【０００３】  吉野・タイム・マシンを発明する。吉野・ラビテーション・オブジェクトを発明する。これが、課題である。  そして、約６３０臆年後の宇宙の文明の傾向の予測と平和の発展への提案という課題である。吉野宇宙／Ｙｏｓｈｉｎｏ  Ｕｎｉｖｅｒｓｅが宇宙全体を管理していて、４つのパティションの吉野宇宙地区、ヨシノ・ロシア・サイエンス・バード・ピープル、ヨシノ・ジャパン・テクノ・アント・ピープル、ヨシノ・アメリカ（アルフィアン）・フリー・トレード・ピープル、ヨシノ・ユーロ・トラベル・ピープルが発展しながらも直面する危機とそれを予知／アラートすることによって乗り越えるという考案もオプション課題である。
【課題を解決するための手段】
【０００４】  ヨシノ・ロシア・サイエンス・バード・ピープルは、スペース・サイエンス、特に宇宙規模で巨大スペース・ステーションを発展させその吉野宇宙でのリソース・コントロールとエナジー・マネージャーとスター・コントローラーとしての名誉ある地位を確立していく。  ヨシノ・ジャパン・テクノ・アント・ピープルは、情報（インフォメーション）、特に未来予測、未来予知、タイム・サイエンス、タイム・エンジニア、タイム・コミュニケーションに集中して、吉野宇宙の安全を確保して、セキュリティアとして上位の地位を確立していく。（ヨシノ・ジャパン・テクノ・アント・ピープルの管理下のもとのヨシノ・アジア・ロボット・ピープルは生産性を向上して、吉野宇宙でプロダクト・マネージャーとしての地位を確立していく。）  ヨシノ・アメリカ（アルフィアン）・フリー・トレード・ピープルは、自由な発想、創造、発送とトレード、健康生活水準向上を理想としながら、吉野宇宙の通商としての適宜なマネージメントを行い、ライフ・メディカル／ドクターとして大きな地位を確立していく。  ヨシノ・ユーロ・トラベル・ピープルは、政治、経済、インターコミュニケーションを大切にした、吉野宇宙のユニファイヤーとしてパフォーマーの地位を確立していく。（ヨシノ・ユーロ・トラベル・ピープルの管理下のヨシノ・アフリカ・ネイチャー・ピープルは、文化と歴史を大切にして、吉野宇宙のパフォームミュージシャンとしての地位を確立していく。）  吉野の仮定理論によると、タイム・マシンの製作と地球の回転速度と同じで地表に近く、エネルギーを使用しないでも浮上しつづけることのできる重力子／反重力によるラビテーション（浮上）の製作の両立は容易でないと思われる。ここで、負の質量についてＥ＝ｍｃ２であるとして話を進める。つまり、反重力場・生成装置を作ろうとするとき、いくつもの可能性がある。  １）反重力を利用した浮上。      例１−１）重力子（グラビトン）の制御（コントロール）による浮上。      例１−２）重力子の集積（チャージ）／生成（ジェネレーション）による浮上。2007209189.tif 000002
例１−３）重力子の反射（リフレクション）による浮上。      例１−４）重力空間のトランスポーテーションによる浮上／再現。      ちなみに、浮上には  ２）エネルギーを使用しての浮上。質量保存による反作用による浮上方式。モーター、  エンジン、イオンエンジンによる浮上。  ３）地球との（質量間の）相対速度を利用したサテライト型の浮上方式。  ４）超伝導、（超）電磁界（場）、太陽風、プラズマを利用した浮上方式。  ５）その他の浮上方式。  がある。  ここで、吉野の仮定理論によると、タイム・マシンと反重力装置の両立は容易でないという理由について説明する。  プラスの電荷に対して、マイナスの電荷があるとしよう。ここで、  陽子に対して、反陽子（電子）が存在するとしよう。同様に  プラス（正）の質量に対して、マイナス（負）の質量があるとしよう。ここで、  質量子に対しての反質量子が存在するとしよう。ここで、  質量子に対しての反質量子が重力子であるとしよう。質量子は互いに反発するが、反重力子の在によって、引力（重力）が働くとしよう。  正の質量：  Ｅ＝ｍｃ２（ｍ＞０  ｉ．ｅ．Ｅ＞０）そして、ｔ＞０、  負の質量：  Ｅ＝ｍｃ２（ｍ＜０  ｉ．ｅ．Ｅ＜０）そして、ｔ＜０  若しくは  ｔ＞０、  の両方について、この方程式が使えると仮定する。すると、正の質量がｔ＞０としてその存在が確認されるとき、  １）もし、負の質量は、ｔ＜０であるならば、負の質量とは、正の質量について、時間を逆に見ただけのものとなる。つまり、実質的には、正の質量とが反対の時間に向かって進んでいるだけである。これは、タイム・マシンとして、利用できる。宇宙空間に置いて、ブラック・ホール／ホワイト・ホール、ワームホール、スペース・チューブ、スペース・ブランチ、スペース・レインボー、といった、重力場のモルティプル・ブランチ・パイプの理論的可能性が出てきて、空間場のループに、情報を入れれば、過去から情報が出てくる可能性があるといえる。ブラック・ホールに、情報を入れれば、ホワイト・ホール／過去のブラック・ホールから情報が出てくる可能性があるといえる。質量／重力子をコントロールできれば、このような、空間を人為的に作ることも可能である。  ２）もし、負の質量は、ｔ＞０であるならば、負の質量を集めることによって、反重力子（ラビテーション・オブジェクトのアンティー・グラビティー・ユニット）として利用できる。  ところが、吉野の理論を合わせると、タイム・マシンの数学的実施可能性が明示化される。それなら、重力子を利用した反重力装置の製作は、物理的背反により、容易でないと結論されてしまう。しかし、もし、物理的背反による同一目的事項が起きた時は、場合的な解法による解決もしくは、曖昧は解決をすると仮定して、（吉野による、吉野・タイム・マシンを参照）タイム・マシンを第一優先順位（ファースト・プライオリティー）と決める。つまり、浮上は第二優先順位とするが、その選択は、（吉野による、エコロジー・システムを参照）スペース・ステーション、サテライト、超伝導浮上、イオンエンジン航行、プラズマ・ジェット飛行のような現実的なものである必要がある若しくは、他の場をも組み合わせた／利用した組み合わせによる／グレーな／曖昧な浮上システムでもありえる。現実理論とは限らないが、重力子／超重力子／超反重力子が集合される／存在する／創造することができるとするならば、その理論的な両立も可能となる。重力子／超重力子／超2007209189.tif 000003
ることもかのうであろう。
【発明の実施する最良の形態】
【０００５】空間にワームホールを製作する。タイム・マシンの最良の形態である。2007209189.tif 000004
【図１】
2007209189.tif 000005
【手続補正書】
【提出日】平成18年6月21日(2006.6.21)
【手続補正２】
【補正対象書類名】明細書
【補正対象項目名】全文
【補正方法】変更
【補正の内容】
【発明の詳細な説明】
【技術分野】
【０００１】  人々は長き間に置いて、時空を飛び回ることを夢見てきた。車や飛行機などで、距離空間での旅行は簡単であっても、時間空間での旅行は簡単ではない。又、エネルギーを使わずに、物体を浮上させるのは容易とはいえない。
【背景技術】
【０００２】吉野は、タイム・マシンを作りたい。吉野は、ラビテーション・オブジェクトを作りたい。
【発明の開示】
【発明が解決しようとする課題】
【０００３】  吉野・タイム・マシンを発明する。吉野・ラビテーション・オブジェクトを発明する。これが、課題である。  そして、約６３０臆ラウンド後の宇宙の文明の傾向の予測と平和の発展への提案という課題である。吉野宇宙／Ｙｏｓｈｉｎｏ  Ｕｎｉｖｅｒｓｅが宇宙全体を管理していて、４つのパティションの吉野宇宙地区、ヨシノ・ロシア・サイエンス・バード・ピープル、ヨシノ・ジャパン・テクノ・アント・ピープル、ヨシノ・アメリカ（アルフィアン）・フリー・トレード・ピープル、ヨシノ・ユーロ・トラベル・ピープルが発展しながらも直面する危機とそれを予知／アラートすることによって乗り越えるという考案もオプション課題である。
【課題を解決するための手段】
【０００４】  ヨシノ・ロシア・サイエンス・バード・ピープルは、スペース・サイエンス、特に宇宙規模で巨大スペース・ステーションを発展させその吉野宇宙でのリソース・コントロールとエナジー・マネージャーとスター・コントローラーとしての名誉ある地位を確立していく。  ヨシノ・ジャパン・テクノ・アント・ピープルは、情報（インフォメーション）、特に未来予測、未来予知、タイム・サイエンス、タイム・エンジニア、タイム・コミュニケーションに集中して、吉野宇宙の安全を確保して、セキュリティアとして上位の地位を確立していく。（ヨシノ・ジャパン・テクノ・アント・ピープルの管理下のもとのヨシノ・アジア・ロボット・ピープルは生産性を向上して、吉野宇宙でプロダクト・マネージャーとしての地位を確立していく。）  ヨシノ・アメリカ（アルフィアン）・フリー・トレード・ピープルは、自由な発想、創造、発送とトレード、健康生活水準向上を理想としながら、吉野宇宙の通商としての適宜なマネージメントを行い、ライフ・メディカル／ドクターとして大きな地位を確立していく。  ヨシノ・ユーロ・トラベル・ピープルは、政治、経済、インターコミュニケーションを大切にした、吉野宇宙のユニファイヤーとしてパフォーマーの地位を確立していく。（ヨシノ・ユーロ・トラベル・ピープルの管理下のヨシノ・アフリカ・ネイチャー・ピープルは、文化と歴史を大切にして、吉野宇宙のパフォームミュージシャンとしての地位を確立していく。）  吉野の仮定理論によると、タイム・マシンの製作と地球の回転速度と同じで地表に近く、エネルギーを使用しないでも浮上しつづけることのできる重力子／反重力によるラビテーション（浮上）の製作の両立は容易でないと思われる。ここで、負の質量についてＥ＝ｍｃ２であるとして話を進める。つまり、反重力場・生成装置を作ろうとするとき、いくつもの可能性がある。  １）反重力を利用した浮上。      例１−１）重力子（グラビトン）の制御（コントロール）による浮上。      例１−２）重力子の集積（チャージ）／生成（ジェネレーション）による浮上。2007209189.tif 000006
例１−３）重力子の反射（リフレクション）による浮上。      例１−４）重力空間のトランスポーテーションによる浮上／再現。      ちなみに、浮上には  ２）エネルギーを使用しての浮上。質量保存による反作用による浮上方式。モーター、エンジン、イオンエンジンによる浮上。  ３）地球との（質量間の）相対速度を利用したサテライト型の浮上方式。  ４）超伝導、（超）電磁界（場）、太陽風、プラズマを利用した浮上方式。  ５）その他の浮上方式。  がある。  ここで、吉野の仮定理論によると、タイム・マシンと反重力装置の両立は容易でないという理由について説明する。  プラスの電荷に対して、マイナスの電荷があるとしよう。ここで、  陽子に対して、反陽子（電子）が存在するとしよう。同様に  プラス（正）の質量に対して、マイナス（負）の質量があるとしよう。ここで、  質量子に対しての反質量子が存在するとしよう。ここで、  質量子に対しての反質量子が重力子であるとしよう。質量子は互いに反発するが、反重力子の在によって、引力（重力）が働くとしよう。  正の質量：  Ｅ＝ｍｃ２  （ｍ＞０  ｉ．ｅ．Ｅ＞０）  そして、ｔ＞０、  負の質量：  Ｅ＝ｍｃ２  （ｍ＜０  ｉ．ｅ．Ｅ＜０）  そして、ｔ＜０  若しくは  ｔ＞０、  の両方について、この方程式が使えると仮定する。すると、正の質量がｔ＞０としてその存在が確認されるとき、  １）もし、負の質量は、ｔ＜０であるならば、負の質量とは、正の質量について、時間を逆に見ただけのものとなる。つまり、実質的には、正の質量が反対の時間に向かって進んでいるだけである。これは、タイム・マシンとして、利用できる。宇宙空間に置いて、ブラック・ホール／ホワイト・ホール、ワームホール、スペース・チューブ、スペース・ブランチ、スペース・レインボー、といった、重力場のモルティプル・ブランチ・パイプの理論的可能性が出てきて、空間場のループに、情報を入れれば、過去から情報が出てくる可能性があるといえる。ブラック・ホールに、情報を入れれば、ホワイト・ホール／過去のブラック・ホールから情報が出てくる可能性があるといえる。質量／重力子をコントロールできれば、このような、空間を人為的に作ることも可能である。  ２）もし、負の質量は、ｔ＞０であるならば、負の質量を集めることによって、反重力子（ラビテーション・オブジェクトのアンティー・グラビティー・ユニット）として利用できる。  ところが、吉野の理論を合わせると、タイム・マシンの数学的実施可能性が明示化される。それなら、重力子を利用した反重力装置の製作は、物理的背反により、容易でないと結論されてしまう。しかし、もし、物理的背反による同一目的事項が起きた時は、場合的な解法による解決もしくは、曖昧は解決をすると仮定して、（吉野による、吉野・タイム・マシンを参照）タイム・マシンを第一優先順位（ファースト・プライオリティー）と決める。つまり、浮上は第二優先順位とするが、その選択は、（吉野による、エコロジー・システムを参照）スペース・ステーション、サテライト、超伝導浮上、イオンエンジン航行、プラズマ・ジェット飛行のような現実的なものである必要がある若しくは、他の場をも組み合わせた／利用した組み合わせによる／グレーな／曖昧な浮上システムでもありえる。現実理論とは限らないが、重力子／超重力子／超反重力子が集合される／存在する／創造することができるとするならば、その理論的な両立も可能となる。重力子／超重力子／超2007209189.tif 000007
ともかのうであろう。
【発明の実施する最良の形態】
【０００５】空間にワームホールを製作する。タイム・マシンの最良の形態である。2007209189.tif 000008
吉野  タイガー型／Ｔ型  タイム・マシンの導入をする。フローティング／フライングのオブジェクト／乗り物の予見／予言／予知／先見の明に使う。
【図面の簡単な説明】
【０００６】
【図１】質量子と重力子の関係を示した図。
【図２】タイム・トンネルの図。
【図３】複数のタイム・トンネルの図。
【図４】吉野  タイガー型／Ｔ型  タイム・マシンの設計図。
【図５】吉野  タイガー型／Ｔ型  タイム・マシンの設計図。
【手続補正３】
【補正対象書類名】図面
【補正対象項目名】全図
【補正方法】変更
【補正の内容】
【図１】
2007209189.tif 000009
【図２】
2007209189.tif 000010
【図３】
2007209189.tif 000011
【図４】
2007209189.tif 000012
【図５】
2007209189.tif 000013
【手続補正書】
【提出日】平成18年12月9日(2006.12.9)
【手続補正２】
【補正対象書類名】明細書
【補正対象項目名】全文
【補正方法】変更
【補正の内容】
【発明の詳細な説明】
【技術分野】
【０００１】  人々は長き間に置いて、時空を飛び回ることを夢見てきた。車や飛行機などで、距離空間での旅行は簡単であっても、時間空間での旅行は簡単ではない。又、エネルギーを使わずに、物体を浮上させるのは容易とはいえない。
【背景技術】
【０００２】吉野は、タイム・マシンを作りたい。吉野は、ラビテーション・オブジェクトを作りたい。
【発明の開示】
【発明が解決しようとする課題】
【０００３】  吉野・タイム・マシンを発明する。吉野・ラビテーション・オブジェクトを発明する。これが、課題である。  そして、約６３０臆年ラウンド後の宇宙の文明の傾向の予測と平和の発展への提案という課題である。吉野宇宙／Ｙｏｓｈｉｎｏ  Ｕｎｉｖｅｒｓｅが宇宙全体を管理していて、４つのパティションの吉野宇宙地区、ヨシノ・ロシア・サイエンス・バード・ピープル、ヨシノ・ジャパン・テクノ・アント・ピープル、ヨシノ・アメリカ（アルフィアン）・フリー・トレード・ピープル、ヨシノ・ユーロ・トラベル・ピープルが発展しながらも直面する危機とそれを予知／アラートすることによって乗り越えるという考案もオプション課題である。
【課題を解決するための手段】
【０００４】  ヨシノ・ロシア・サイエンス・バード・ピープルは、スペース・サイエンス、特に宇宙規模で巨大スペース・ステーションを発展させその吉野宇宙でのリソース・コントロールとエナジー・マネージャーとスター・コントローラーとしての名誉ある地位を確立していく。  ヨシノ・ジャパン・テクノ・アント・ピープルは、情報（インフォメーション）、特に未来予測、未来予知、タイム・サイエンス、タイム・エンジニア、タイム・コミュニケーションに集中して、吉野宇宙の安全を確保して、セキュリティアとして上位の地位を確立していく。（ヨシノ・ジャパン・テクノ・アント・ピープルの管理下のもとのヨシノ・アジア・ロボット・ピープルは生産性を向上して、吉野宇宙でプロダクト・マネージャーとしての地位を確立していく。）  ヨシノ・アメリカ（アルフィアン）・フリー・トレード・ピープルは、自由な発想、創造、発送とトレード、健康生活水準向上を理想としながら、吉野宇宙の通商としての適宜なマネージメントを行い、ライフ・メディカル／ドクターとして大きな地位を確立していく。  ヨシノ・ユーロ・トラベル・ピープルは、政治、経済、インターコミュニケーションを大切にした、吉野宇宙のユニファイヤーとしてパフォーマーの地位を確立していく。（ヨシノ・ユーロ・トラベル・ピープルの管理下のヨシノ・アフリカ・ネイチャー・ピープルは、文化と歴史を大切にして、吉野宇宙のパフォームミュージシャンとしての地位を確立していく。）  吉野の仮定理論によると、タイム・マシンの製作と地球の回転速度と同じで地表に近く、エネルギーを使用しないでも浮上しつづけることのできる重力子／反重力によるラビテーション（浮上）の製作の両立は容易でないと思われる。ここで、負の質量についてＥ＝ｍｃ２であるとして話を進める。つまり、反重力場・生成装置を作ろうとするとき、いくつもの可能性がある。  １）反重力を利用した浮上。      例１−１）重力子（グラビトン）の制御（コントロール）による浮上。      例１−２）重力子の集積（チャージ）／生成（ジェネレーション）による浮上。2007209189.tif 000014
例１−３）重力子の反射（リフレクション）による浮上。      例１−４）重力空間のトランスポーテーションによる浮上／再現。      ちなみに、浮上には  ２）エネルギーを使用しての浮上。質量保存による反作用による浮上方式。モーター、  エンジン、イオンエンジンによる浮上。運動量保存の法則による浮上方式。  ３）地球との（質量間の）相対速度を利用したサテライト型の浮上方式。  ４）超伝導、（超）電磁界（場）、太陽風、プラズマを利用した浮上方式。  ５）その他の浮上方式。  がある。  ここで、吉野の仮定理論によると、タイム・マシンと反重力装置の両立は容易でないという理由について説明する。  プラスの電荷に対して、マイナスの電荷があるとしよう。ここで、  陽子（陽電子）に対して、反陽子（電子）が存在するとしよう。陽電子と電子の反応より光子、複数の光子が生成・存在するとしよう。  プラス（正）の質量に対して、マイナス（負）の質量があるとしよう。ここで、  質量子に対しての反質量子が存在するとしよう。ここで、  質量子に対しての反質量子が重力子であるとしよう。質量子は互いに反発するが、反質量子の存在によって、引力（重力）が働くとしよう。  正の質量：  Ｅ＝ｍｃ２（ｍ＞０  ｉ．ｅ．Ｅ＞０）  そして、ｔ＞０、  負の質量：  Ｅ＝ｍｃ２（ｍ＜０  ｉ．ｅ．Ｅ＜０）  そして、ｔ＜０  若しくは  ｔ＞０、  の両方について、この方程式が使えると仮定する。すると、正の質量がｔ＞０としてその存在が確認されるとき、  １）もし、負の質量は、ｔ＜０であるならば、負の質量とは、正の質量について、時間を逆に見ただけのものとなる。つまり、実質的には、正の質量が反対の時間に向かって進んでいるだけである。これは、タイム・マシンとして、利用できる。宇宙空間に置いて、ブラック・ホール／ホワイト・ホール、ワームホール、スペース・チューブ、スペース・ブランチ、スペース・レインボー、といった、重力場のモルティプル・ブランチ・パイプの理論的可能性が出てきて、空間場のループに、情報を入れれば、過去から情報が出てくる可能性があるといえる。ブラック・ホールに、情報を入れれば、ホワイト・ホール／過去のブラック・ホールから情報が出てくる可能性があるといえる。質量／重力子をコントロールできれば、このような、空間を人為的に作ることも可能である。  ２）もし、負の質量は、ｔ＞０であるならば、負の質量を集めることによって、反重力子（ラビテーション・オブジェクトのアンティー・グラビティー・ユニット）として利用できる。  ところが、吉野の理論を合わせると、タイム・マシンの数学的実施可能性が明示化される。特願２００５−１６４７２７を参照する。ポジトロンとエレクトロンの反応によりフォトンが生成される。つまり、陽電子と電子が反応すると光子が生成される。陽電子と電子の衝突によって、エネルギー量の等しい２つの光子ができるが、これらの光子の特徴を非対称的に測定することによって、過去、現在、未来でのコミュニケーションをする。複数のシステムも同様に可能である。これらが、吉野・タイム・マシンの基本概念である。それに基づいて、吉野・タイム・マシンが製作できる。ここで、特徴とは、スピンなどといった物理的な特徴である。この際、非対称なストラ��チャーを作ることによって、情報の時間差が現れる。吉野・タイム・マシンが、未来予知する。これらは、吉野・ニオン、吉野の方程式と理論、超弦理論、アインシュタインの相対性理論、ＥＲＰの正当性、そのコンビネーションによって、説明できる。特願２００６−１９７４４５参照。  それなら、重力子を利用した反重力装置の製作は、物理的背反により、容易でないと結論されてしまう。しかし、もし、物理的背反による同一目的事項が起きた時は、場合的な解法による解決もしくは、曖昧は解決をすると仮定して、（吉野による、吉野・タイム・マシンを参照）タイム・マシンを第一優先順位（ファースト・プライオリティー）と決める。つまり、浮上は第二優先順位とするが、その選択は、（吉野による、エコロジー・システムを参照）スペース・ステーション、サテライト、超伝導浮上、イオンエンジン航行、プラズマ・ジェット飛行のような現実的なものである必要がある若しくは、他の場をも組み合わせた／利用した組み合わせによる／グレーな／曖昧な浮上システムでもありえる。現実理論とは限らないが、重力子／超重力子／超反重力子が集合される／存在する／創造することができるとするならば、その理論的な両立も可能となる。重力子／超重力子／超2007209189.tif 000015
ともかのうであろう。
【発明の実施する最良の形態】
【０００５】空間にワームホールを製作する。タイム・マシンの最良の形態である。2007209189.tif 000016
吉野  タイガー型／Ｔ型  タイム・マシンの導入をする。フローティング／フライングのオブジェクト／乗り物の予見／予言／予知／先見の明に使う。
【図面の簡単な説明】
【０００６】
【図１】質量子と重力子の関係を示した図。
【図２】タイム・トンネルの図。
【図３】複数のタイム・トンネルの図。
【図４】吉野  タイガー型／Ｔ型  タイム・マシンの設計図。
【図５】吉野  タイガー型／Ｔ型  タイム・マシンの設計図。
【図６】吉野  タイガー型／Ｔ型  タイム・マシンの設計図。吉野  タイガー型／Ｔ型  タイム・マシン・２ｎｄ・ジェネレーション。吉野  クリスタル・ヒカリのザ・クロスのスタイル。吉野  一虎が、吉野  クリスタル・ヒカリが、アメリカ人と日本人の混血であるところから、銘銘。１、２において、フォトンとその特徴の計測・測定をする。３、４から陽電子、電子が、加速器によって、加速されて出てきて、中央で反応して、複数の光子が出てくる。それらを１、２でディテクトとする。ディテクターとして、カウンターの利用も可能。光子の反応にガスで電界分離をして、アバランチを作っても良い。核工学を勉強すると、カウンターについてよくわかる。量子力学的なキャラクター・セパレーションによる判別。電場、磁場、重力場など、フィールドによるスピン・セパレーション等も可能。量子力学の勉強をすると、クウォンタム・フィジックス・スピンについてよくわかる。吉野・ニオン・アナライザー、メモリア、メモリーの搭載もオプションとして可能。吉野の特許を勉強すると、吉野・タイム・マシンについてよくわかる。
【手続補正３】
【補正対象書類名】図面
【補正対象項目名】全図
【補正方法】追加
【補正の内容】
【図１】
2007209189.tif 000017
【図２】
2007209189.tif 000018
【図３】
2007209189.tif 000019
【図４】
2007209189.tif 000020
【図５】
2007209189.tif 000021
【図６】
2007209189.tif 000022